【手続補正書】
【提出日】平成20年6月20日(2008.6.20)
【手続補正１】
【補正対象書類名】明細書
【補正対象項目名】特許請求の範囲
【補正方法】変更
【補正の内容】
【特許請求の範囲】
【請求項１】
通信網を介して他の情報伝達装置に対して通信可能に接続された情報伝達装置であって、
前記他の情報伝達装置から当該情報伝達装置に送信された情報の閲覧価値の重要度を数値化するための優先度の算定に用いる設定値と、前記情報に含まれ得る属性の中で前記設定値の設定対象となる優先度対象属性又は前記情報に含まれ得るキーワードの中で前記設定値の設定対象となる優先度対象キーワードの少なくとも一方とを、前記情報の経由者になり得る経由ユーザの中で前記設定値の設定対象となる優先度対象経由ユーザ毎に、関連付けて格納する設定値データベースと、
前記他の情報伝達装置から当該情報伝達装置に送信された情報に基づいて、当該情報に含まれている前記優先度対象経由ユーザ毎に、当該情報に含まれている前記優先度対象属性又は当該情報に含まれている前記優先度対象キーワードに対応する前記設定値を前記設定値データベースから取得し、当該取得した設定値に基づいて、当該情報に対する前記優先度を算出する優先度算出手段と、
を備えたことを特徴とする情報伝達装置。
【請求項２】
前記優先度算出手段は、前記他の情報伝達装置から当該情報伝達装置に送信された情報の経由ユーザの中に前記優先度対象経由ユーザが複数含まれている場合には、当該複数の優先度対象経由ユーザ毎に前記優先度を算出し、これら複数の優先度対象経由ユーザ毎の優先度を合算することにより、最終的な前記優先度を算出すること、
を特徴とする請求項１に記載の情報伝達装置。
【請求項３】
前記優先度算出手段は、前記他の情報伝達装置から当該情報伝達装置に送信された情報に基づいて、当該情報に含まれている前記優先度対象属性の数を計数し、当該計数した優先度対象属性の数と前記取得した設定値とに基づいて、当該情報に対する前記優先度を算出すること、
を特徴とする請求項１又は２に記載の情報伝達装置。
【請求項４】
前記優先度算出手段は、前記計数した優先度対象属性の数と前記取得した設定値とに基づいて、
【数１】
2003006118.tif 000001
における前記優先度を算出すること（ここで、Ｊｋは、前記優先度対象属性が含まれている場合は１、前記優先度対象属性が含まれていない場合は０、Ｗｊｋは、前記優先度対象属性に対応する前記設定値、ＣＣは、前記優先度対象属性の数、Ｋｋは、前記優先度対象キーワードが含まれている場合は１、前記優先度対象キーワードが含まれていない場合は０、Ｗｗｋは、前記優先度対象キーワードに対応する前記設定値）、
を特徴とする請求項３に記載の情報伝達装置。
【請求項５】
当該情報伝達装置に送信された情報に対する閲覧結果を入力するための入力手段と、
当該情報伝達装置に送信された情報に含まれている前記優先度対象経由ユーザに対応して前記設定値データベースに格納されている前記設定値であって、当該情報に含まれている前記優先度対象属性又は当該情報に含まれている前記優先度対象キーワードに対応する前記設定値を、前記入力手段にて入力された閲覧結果に基づいて変更する設定値変更手段、
を備えることを特徴とする請求項１から４のいずれか一項に記載の情報伝達装置。
【請求項６】
前記他の情報伝達装置から当該情報伝達装置に送信された情報に含まれ得る属性の中でカット対象とすべき情報の属性であるカット対象属性、又は、当該情報に含まれ得るキーワードの中でカット対象とすべき情報のキーワードであるカット対象属性キーワードの少なくとも一方とを、前記情報の経由者になり得る経由ユーザの中でカット対象とすべき情報の経由ユーザであるカット対象経由ユーザ毎に、関連付けて格納するカット対象データベースと、
前記他の情報伝達装置から当該情報伝達装置に送信された情報に前記カット対象経由ユーザが含まれているか否かを前記カット対象データベースを参照して判定し、当該カット対象経由ユーザが含まれている場合には、当該情報に前記カット対象属性又は前記カット対象属性キーワードが含まれているか否かを前記カット対象データベースを参照して判定し、当該カット対象属性又は当該カット対象属性キーワードが含まれている場合には、当該情報を廃棄するカットオフフィルタリングと、
を備えたことを特徴とする請求項１から５のいずれか一項に記載の情報伝達装置。
【請求項７】
通信網を介して他のコンピュータに対して通信可能に接続されたコンピュータにおいて実行される情報伝達プログラムであって、
前記コンピュータには、前記他のコンピュータから当該コンピュータに送信された情報の閲覧価値の重要度を数値化するための優先度の算定に用いる設定値と、前記情報に含まれ得る属性の中で前記設定値の設定対象となる優先度対象属性又は前記情報に含まれ得るキーワードの中で前記設定値の設定対象となる優先度対象キーワードの少なくとも一方とを、前記情報の経由者になり得る経由ユーザの中で前記設定値の設定対象となる優先度対象経由ユーザ毎に、関連付けて格納する設定値データベースが設けられ、
前記コンピュータに、前記他のコンピュータから当該コンピュータに送信された情報に基づいて、当該情報に含まれている前記優先度対象経由ユーザ毎に、当該情報に含まれている前記優先度対象属性又は当該情報に含まれている前記優先度対象キーワードに対応する前記設定値を前記設定値データベースから取得し、当該取得した設定値に基づいて、当該情報に対する前記優先度を算出する優先度算出ステップを実行させること、
を特徴とする情報伝達プログラム。
【手続補正２】
【補正対象書類名】明細書
【補正対象項目名】０００６
【補正方法】変更
【補正の内容】
【０００６】
【課題を解決するための手段及び発明の作用効果】
請求項１、７に記載の本発明によれば、他の情報伝達装置から当該情報伝達装置に送信された情報に含まれている優先度対象経由ユーザ毎に、当該情報に含まれている優先度対象属性又は優先度対象キーワードに対応する設定値を設定値データベースから取得し、当該取得した設定値に基づいて、当該情報に対する前記優先度を算出する。
このため、送信されてきた情報の中にユーザ自身にとって閲覧する価値のないものが混在している場合でも、情報の内容を閲覧する前に、送信されてきた情報に対する閲覧価値の有無を自身で判断できる。これにより、送信されてきた情報の中に自身にとって閲覧する価値のないものが混在している場合でも、自身の判断で閲覧価値のある情報だけを選択して閲覧することも可能となる。
また、価値判断データを、情報の閲覧価値の重要度を数値で表した優先度としたので、価値判断データを見れば即座に情報の閲覧価値の重要度が高いものか、低いものかを判別でき、判断を容易にできる。
また、優先度は、情報が送信されてくるまでに経由してきた経由ユーザーと、予め経由ユーザーに関して設定した設定値とに基づいて算出される。例えば情報が送信されてくるまでに情報が経由してきた経由ユーザーの中に、自分にとって閲覧価値の高い情報を流す可能性が高いと考えられるユーザーがいる場合や、逆に自分にとって閲覧価値の低い情報を流す可能性が高いと考えられるユーザーがいる場合もあり、情報が経由してきた経由ユーザーを考慮することは、情報に対する価値判断をする上で重要な要素となる。そこで、情報が送信されてくるまでに情報が経由してきた経由ユーザーと、予め経由ユーザーに関して設定した設定値とに基づいて優先度を算出するようにすれば、算出した優先度を、経由ユーザーに応じて算出でき、閲覧価値の重要度を数値で示すものとして信頼性のあるものにできる。
さらに、経由ユーザーに関して設定した設定値が、経由ユーザーについて、その経由ユーザーに関連付けた情報の属性に対して設定したものであり、優先度が、送信されてくる情報の属性と、情報が送信されてくるまでに経由してきた経由ユーザーと、予め経由ユーザーに関連付けた情報の属性に対して設定した設定値とに基づいて算出される。ある特定の経由ユーザーの流す情報でも、特定の属性に関する情報は、自分にとって特に閲覧価値の高いが、他の属性に関する情報は、それほどでもない場合もある。そこで、送信されてきた情報の属性と、経由ユーザーと、予め経由ユーザーについて関連付けた情報の属性に対して設定した設定値とに基づいて優先度を算出するようにすれば、優先度を、経由ユーザー及び情報の属性に応じて算出でき、一層、閲覧価値の重要度を数値で示すものとして信頼性の高いものにできる。
【手続補正３】
【補正対象書類名】明細書
【補正対象項目名】０００７
【補正方法】変更
【補正の内容】
【０００７】
請求項２に記載の本発明によれば、請求項１に記載の本発明において、前記優先度算出手段は、前記他の情報伝達装置から当該情報伝達装置に送信された情報の経由ユーザの中に前記優先度対象経由ユーザが複数含まれている場合には、当該複数の優先度対象経由ユーザ毎に前記優先度を算出し、これら複数の優先度対象経由ユーザ毎の優先度を合算することにより、最終的な前記優先度を算出する。
【手続補正４】
【補正対象書類名】明細書
【補正対象項目名】０００８
【補正方法】変更
【補正の内容】
【０００８】
請求項３に記載の本発明によれば、請求項１又は２に記載の本発明において、前記優先度算出手段は、前記他の情報伝達装置から当該情報伝達装置に送信された情報に基づいて、当該情報に含まれている前記優先度対象属性の数を計数し、当該計数した優先度対象属性の数と前記取得した設定値とに基づいて、当該情報に対する前記優先度を算出する。
【手続補正５】
【補正対象書類名】明細書
【補正対象項目名】０００９
【補正方法】変更
【補正の内容】
【０００９】
請求項４に記載の本発明によれば、請求項３に記載の本発明において、前記優先度算出手段は、前記計数した優先度対象属性の数と前記取得した設定値とに基づいて、
【数２】
2003006118.tif 000002
における前記優先度を算出する（ここで、Ｊｋは、前記優先度対象属性が含まれている場合は１、前記優先度対象属性が含まれていない場合は０、Ｗｊｋは、前記優先度対象属性に対応する前記設定値、ＣＣは、前記優先度対象属性の数、Ｋｋは、前記優先度対象キーワードが含まれている場合は１、前記優先度対象キーワードが含まれていない場合は０、Ｗｗｋは、前記優先度対象キーワードに対応する前記設定値）。
【手続補正６】
【補正対象書類名】明細書
【補正対象項目名】００１０
【補正方法】変更
【補正の内容】
【００１０】
請求項５に記載の本発明によれば、請求項１から４のいずれか一項に記載の本発明において、当該情報伝達装置に送信された情報に対する閲覧結果を入力するための入力手段と、当該情報伝達装置に送信された情報に含まれている前記優先度対象経由ユーザに対応して前記設定値データベースに格納されている前記設定値であって、当該情報に含まれている前記優先度対象属性又は当該情報に含まれている前記優先度対象キーワードに対応する前記設定値を、前記入力手段にて入力された閲覧結果に基づいて変更する設定値変更手段を備える。
【手続補正７】
【補正対象書類名】明細書
【補正対象項目名】００１１
【補正方法】変更
【補正の内容】
【００１１】
請求項６に記載の本発明によれば、前記他の情報伝達装置から当該情報伝達装置に送信された情報に前記カット対象経由ユーザが含まれているか否かを前記カット対象データベースを参照して判定し、当該カット対象経由ユーザが含まれている場合には、当該情報に前記カット対象属性又は前記カット対象属性キーワードが含まれているか否かを前記カット対象データベースを参照して判定し、当該カット対象属性又は当該カット対象属性キーワードが含まれている場合には、当該情報を廃棄するカットオフフィルタリングを備える。
例えば特定のユーザーが流す特定の属性に関する情報は、送信先となったユーザーにとって閲覧価値が低いと判断し得る場合がある。そこで、この発明のように、例えば自分にとっては閲覧価値が低いと考えられる特定のユーザーを経由ユーザとし、この経由ユーザーと特定の属性とを予め関連付けて登録しておき、これに該当する情報が送信されてくれば廃棄するようにしておけば、送信されてくる情報を、閲覧価値の低いものを予め排除して整理したものにでき、情報データの作成を容易にできるとともに、情報データに閲覧価値の低い情報を掲載せずに済み、情報データを利用し易いものにできる。
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】削除
【補正の内容】
【手続補正２１】
【補正対象書類名】明細書
【補正対象項目名】００２５
【補正方法】削除
【補正の内容】
【手続補正２２】
【補正対象書類名】明細書
【補正対象項目名】００２６
【補正方法】削除
【補正の内容】